【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
記録装置とともに用いられる記録剤容器の種別判別方法において、
記録材料を収容し、かつ第１の識別コードを有する記録剤容器を記録装置内にセットし、前記記録装置内で前記第１の識別コードを読取るステップと、
第２の識別コードが記録された識別シートを前記記録装置内で読取るステップと、
前記読取られた第１の識別コードと、前記第２の識別コードとの関係に基づいて記録剤容器の種別を判別するステップとを有することを特徴とする記録剤容器の種別判別方法。
【請求項２】
トナー容器から記録装置へトナーを補給するトナー補給方法において、
トナーを収容し、かつ第１の識別コードを有するトナー容器を記録成装置内にセットし、前記記録装置内で前記第１の識別コードを読取るステップと、
第２の識別コードが記録された識別シートを前記記録装置内で読取るステップと、
前記読取られた第１の識別コードと、前記第２の識別コードとの関係を判別するステップと、
前記読取られた第１の識別コードと、前記第２の識別コードとが予め決められた一定の関係を持つと判断されたときに、前記トナー容器から前記記録装置へのトナー補給を実施するステップを有することを特徴とするトナー補給方法。
【請求項３】
前記第１及び第２の識別コードの少なくとも一つが二次元コードで記載されていることを特徴とする請求項２記載のトナー補給方法。
【請求項４】
前記第１の識別コードと第２の識別コードとが一定の関係をもつと判断されたとき、さらにこれらのコードが、初めて読取られた識別コードであるか否かを判別し、初めて読取られたコードであると判別された場合にトナー補給を実施することを特徴とする請求項２記載のトナー補給方法。
【請求項５】
記録材料を収容し第１の識別コードを有する記録剤容器が所定位置にセットされた状態において前記第１の識別コードを読取る第１読取部と、
第２の識別コードが記録された識別シートを読取る第２読取部と、
前記第１読取部で読取られた第１の識別コードと前記第２読取部で読取られた第２の識別コードとの関係に基づいて前記記録剤容器の種別を判別する解析部とを具備することを特徴とする記録装置。
【請求項６】
静電潜像が形成された感光体ドラムにトナーを供給する現像器と、
トナーを収容し第１の識別コードを有するトナー容器が所定位置にセットされた状態において前記第１の識別コードを読取る第１読取部と、
第２の識別コードが記録された識別シートを読取る第２読取部と、
前記第１読取部で読取られた第１の識別コードと前記第２読取部で読取られた第２の識別コードとの関係を判別し、これら第１の識別コードと第２の識別コードとが予め決められた一定の関係を持つと判断したときに、前記トナー容器から前記現像部へのトナー補給を実施する解析部とを具備することを特徴とする記録装置。
【請求項７】
前記第１及び第２の識別コードの少なくとも一つが二次元コードで記載されていることを特徴とする請求項６記載の記録装置。
【請求項８】
前記解析部は、所定の第１の識別コードと第２の識別コードとが一定の関係をもつと判断したとき、さらにこれらのコードが初めて読取られた識別コードであるか否かを判別し、初めて読取られたコードであると判別された場合にトナー補給を実施することを特徴とする請求項６記載の記録装置。
【手続補正２】
【補正対象書類名】明細書
【補正対象項目名】発明の名称
【補正方法】変更
【補正の内容】
【発明の名称】記録装置、記録剤容器の種別判別方法およびトナー補給方法
【手続補正３】
【補正対象書類名】明細書
【補正対象項目名】０００１
【補正方法】変更
【補正の内容】
【０００１】
本発明は、記録装置、記録装置において用いられる記録剤容器の種別判別方法、及び、複写機などの電子写真式記録装置におけるトナー補給方法に関する。
【手続補正４】
【補正対象書類名】明細書
【補正対象項目名】０００８
【補正方法】変更
【補正の内容】
【０００８】
また偽物のトナー容器からトナーが補給されることを未然に防止するトナーの補給方法を提供することを目的とする。さらにこのような記録剤容器の種別判別方法やトナー補給方法を用いる記録装置を提供することを目的とする。
【手続補正５】
【補正対象書類名】明細書
【補正対象項目名】０００９
【補正方法】変更
【補正の内容】
【０００９】
本発明の記録剤容器の種別判別方法は、上記問題を解決するために、記録装置とともに用いられる記録剤容器の種別判別方法において、記録材料を収容し、かつ第１の識別コードを有する記録剤容器を記録装置内にセットし、前記記録装置内で前記第１の識別コードを読取り、第２の識別コードが記録された識別シートを前記記録装置内で読取り、前記読取られた第１の識別コードと、前記第２の識別コードとの関係に基づいて記録剤容器の種別を判別する。本発明はこのような記録剤容器の種別判別方法を用いる記録装置を提供する。
【手続補正６】
【補正対象書類名】明細書
【補正対象項目名】００１０
【補正方法】変更
【補正の内容】
【００１０】
また本発明のトナー補給方法は、前記読取られた第１の識別コードと、前記第２の識別コードとが予め決められた一定の関係を持つと判断されたときに、前記トナー容器から前記記録装置へのトナー補給を実施する。本発明はこのようなトナー補給方法を用いる記録装置を提供する。
【手続補正７】
【補正対象書類名】明細書
【補正対象項目名】００２１
【補正方法】変更
【補正の内容】
【００２１】
図２は、トナーボトル４１とトナーボトル４１の駆動部の斜視図である。トナーボトル４１は、ボトル本体４３内部にトナーを収容している。ボトル本体４３の先端にはトナーを補給するための補給口４５が形成されている。トナーボトル４１は略円筒形状である。トナーボトル４１自身が複写機１内にセットされたときに回転することにより補給口４５からトナーを補給できるよう、その外周にはボトル本体４３の終端から補給口４５へ向けて５ｍｍの深さの凹部によるスパイラル４７が連続的に形成されている。
【手続補正８】
【補正対象書類名】明細書
【補正対象項目名】００２３
【補正方法】変更
【補正の内容】
【００２３】
トナーボトル４１は駆動源であるモータ５３の回転に従って、トナーボトル４１と噛合ったギア５５が回転することにより、図示矢印Ｂ方向に回転する。回転時、第１の識別コード５１がコード読取部５２と対面し、第１の識別コード５１の内容がコード読取部５２にて読み取られる。尚、トナーボトル４１は、図示矢印Ｂ方向とは逆方向にも回転可能に構成されており、逆方向に回転して補給口４５が下方の現像器３５に対面したとき、トナーが補給口４５から落下して補給される。
【手続補正９】
【補正対象書類名】明細書
【補正対象項目名】００２８
【補正方法】変更
【補正の内容】
【００２８】
図５は、第１の識別コード５１、第２の識別コード６３を処理するための回路ブロック図である。スキャナ１５及びコード読取部５２にてそれぞれ読み取った内容を、コード解析部７１は解析する。コード解析部７１にて解析された内容に基づき、ＣＰＵ７３は、トナーボトル４１が、偽物であるか否かの判別を後述する方法で実施する。またＣＰＵ７３は、コード解析部７１にて解析された内容に基づき、複写機の設定を変更するよう、設定変更部７５に信号を送る。ＲＯＭ７７は、ＣＰＵ７３にて所定の演算処理がおこなわれるように、各種のプログラムが記憶されたもので、ＲＡＭ７９は、ＣＰＵ７３の処理結果に応じてデータが記録されるためのものである。
【手続補正１０】
【補正対象書類名】明細書
【補正対象項目名】００３１
【補正方法】変更
【補正の内容】
【００３１】
まず、空になったトナーボトル４１を複写機１から抜き出す。そして新しいトナーボトル４１を複写機１内にセットすると、複写機側は、トナーボトル４１がセットされたことを検出し、トナーボトル４１の種別を検出するため、トナーボトル４１を図２の図示矢印方向Ｂ方向に回転させる。トナーボトル４１が図示矢印Ｂ方向と逆方向へ回転すると、スパイラル４７によってトナーはボトル本体４３の端部から補給口４５へ搬送されるように構成されている。これに対し、種別検出を行う際には、トナーボトル４１を図示矢印Ｂ方向に回転させることで、トナーが補給口４５に搬送されなくなる。